(57)【要約】【課題】  組立誤差等に対しても必要なストロークを確保でき、応答性に優れたスライドスイッチを備えたスイッチ装置を得る。【解決手段】  回動操作される操作ノブ２７に設けられたアクチュエータ２６と、このアクチュエータ２６の回動端部に形成された係合部２９と、この係合部２９と係合し直線的にスライド可能な操作子２４を有するスライドスイッチ２１を備えたものにおいて、前記操作ノブ２７を所定角度回動操作して前記操作子２４を所定ストロークαスライド移動したとき、該操作子２４と係合する前記係合部２９の係合面角度が、操作子２４のスライド方向に対し垂直となすように設定した構成とする。【選択図】  図１
2005228498.tif 000002
【特許請求の範囲】
【請求項１】
回動操作される操作ノブに設けられたアクチュエータと、このアクチュエータの回動端部に形成された係合部と、この係合部と係合し直線的にスライド可能な操作子を有するスライドスイッチを備えたものにおいて、
前記操作ノブを所定角度回動操作し前記操作子をスライド移動したとき、該操作子と係合する前記係合部の係合面が、操作子のスライド方向に対し垂直となすように設定したことを特徴とするスイッチ装置。
【発明の詳細な説明】
【技術分野】
【０００１】
操作ノブの回動操作に伴ない、回動するアクチュエータを介して応答するスライドスイッチを備えたスイッチ装置に関する。
【背景技術】
【０００２】
従来、この種のスイッチ装置として、例えば自動車のパワーウインドスイッチに採用されている（例えば、特許文献１参照）。
図５および図６は、その一例を示したもので、以下概略構成につき説明すると、１はスライドスイッチで、左右方向にスライド可能な操作子２を備え、該操作子２はスイッチケース３の長孔３ａから外方（図示前方）に突出しスライド可能な構成としている。このスライドスイッチ１は、その下部の取付基板４に固定され、該取付基板４には本体ケース５が上方から組み込まれて取付固定され、以って前記スライドスイッチ１を覆う構成としている。
【０００３】
そして、この本体ケース５には、アクチュエータ６を一体に備えた操作ノブ７が軸部８により回動可能に設けられている。即ち、操作ノブ７は、本体ケース５から上方外部に突出し、アクチュエータ６はこの操作ノブ７の裏面側に下方に延出形成されており、該アクチュエータ６の途中部位を軸部８を介して本体ケース５に回動可能に取り付けられている。従って、操作ノブ７は、軸部８を支点に矢印Ｒ方向の所謂往復回動可能に設けられており、且つ図示しないが本体ケース５側に設けられたストッパーにより常に所定角度の回動操作が行なわれる。
【０００４】
このような、アクチュエータ６の自由端部である回動端部には、例えば溝状の係合部９を形成し、該係合部９に前記スライドスイッチ１の操作子２が係合している。斯くして、操作ノブ７を図５（イ）の非作動の所謂待機状態から同図（ロ）に示すＲ1方向に回動操作した場合、該操作ノブ７の回動操作に伴なうアクチュエータ６の回動変位により、操作子２を待機状態の位置（中央部の基準線Ｙで示す）から所定ストロークα直線的にスライドさせ、スライドスイッチ１をＯＮ作動させるスイッチ装置を構成している。尚、図６ではアクチュエータ６などを太実線で示す待機状態から、その回動変位した状態を実線で示している。
【特許文献１】実用新案登録第２６０５９１８号公報
【発明の開示】
【発明が解決しようとする課題】
【０００５】
ところが、上記従来構成では取付基板４に本体ケース５を取付固定する際の組立誤差等のため、所定のストロークαを常に確保するのが困難である。即ち、取付基板４に別部品の本体ケース５をネジ止めや嵌合手段など適宜の取付手段にて固定しているが、成形部品の変形も含め組立誤差として両部品間の高さ寸法Ｈにバラツキが生じ易い。この高さ寸法Ｈの誤差は、スライドスイッチ１に対するアクチュエータ６の位置が上下方向にずれることになり、軸部８を中心とした操作子２までの回動半径に誤差を生じ、該操作子２は係合部９内で上下に位置ずれした係合位置に組み込まれる。
【０００６】
従って、例えば本来の高さ寸法Ｈより大きく組立構成された場合には、アクチュエータ６は図６中の二点鎖線で示す如く操作子２が係合部９から逸脱しない限り操作子２をスライド方向に押圧し続けるので、スライド移動させるストロークＳが所定のストロークαより長くなり、これはスライドスイッチ１に無理な押圧力が加わることとなり、延いてはスイッチ装置を破損することにも繋がりかねない。また、逆に高さ寸法Ｈより小さく構成された場合には、所定のストロークα以下となり、この場合はスライドスイッチ１の応答性が不安定になり信頼性に欠ける。
【０００７】
そこで、図７は上記対策の一例を示したもので、これはアクチュエータ１０の回動端部に、円形状（球面状でも可）の係合部１１を形成し、これを溝状に形成してなる操作子１２に嵌め込み、アクチュエータ１０の回動方向に対して係合した構成としたものである。この構成によれば、組立誤差等によりアクチュエータ１０が上下方向の位置ずれを起こしても、係合部１１が操作子１２と接する面が円形状であるかぎり、該操作子１２をスライド方向に移動させるストロークに変動はなく、所定のストロークαが得られる。しかしながら、このアクチュエータ１０では、端部にできるだけ真円形に近い係合部１１を形成する必要があることから、操作ノブも含めた型成形に際してスライド型を必要とするなど、金型構造が複雑化して効率的でなく製造コストの高騰を招く。
【０００８】
本発明は上記問題点を解決するため、組立誤差に対してもスライドスイッチに必要な所定のストロークを確保できて信頼性を高め、且つ構造の複雑化を招くことなく簡易な構成にてコスト的にも有利なスイッチ装置を提供することを目的とする。
【課題を解決するための手段】
【０００９】
上記目的を達成するため本発明のスイッチ装置は、回動操作される操作ノブに設けられたアクチュエータと、このアクチュエータの回動端部に形成された係合部と、この係合部と係合し直線的にスライド可能な操作子を有するスライドスイッチを備えたものにおいて、前記操作ノブを所定角度回動操作し前記操作子をスライド移動したとき、該操作子と係合する前記係合部の係合面が、操作子のスライド方向に対し垂直となすように設定したことを特徴とするものである。
【発明の効果】
【００１０】
上記手段によれば、所定角度回動操作されたときのアクチュエータの係合面が、スライド方向に対し垂直となす関係に操作子と係合するので、アクチュエータが組立誤差により上下方向に位置ずれを生じたとしても、その係合面は操作子と有効なスライド方向における係合状態は維持されたまま所定のストロークを得ることができ、信頼性が向上する。また、組立誤差をなくすべく部品精度や組立精度をより高めたり構造的にも何ら複雑化することなく、簡易な構成にて容易に型成形もできるのでコスト的にも有利なスイッチ装置を提供できる。
【発明を実施するための最良の形態】
【００１１】
（第１の実施の形態）
以下、本発明を例えば自動車のパワーウインドスイッチに適用した第１実施例につき、図１，図２を参照して説明する。
まず、図１はスイッチ装置の縦断面図で、そのうち同図（イ）は後述するスライドスイッチ２１が通常ＯＦＦ状態にある非作動の待機状態の構成図を示し、同図（ロ）はスライドスイッチ２１がＯＮ操作されたときの作動状態の構成図を示すとともに、図２は作用説明するための要部の拡大図である。
【００１２】
しかして、図１の特には（イ）において前記スライドスイッチ２１は、取付基板２２に取付固定されていて、そのスイッチケース２３の長孔２３ａから操作子２４を図示前方に突出している。この操作子２４は、本実施例では細棒状の２本の突起２４ａ，２４ｂを一対として、図示横方向に配列した構成としていて、前記長孔２３ａ内を左右横方向にスライド可能に設けられている。従って、この操作子２４のスライド移動に応答してスライドスイッチ２１が内蔵する可動接点と固定接点（いずれも図示せず）を開閉し、ウインド開閉用の図示しないモータをＯＮ・ＯＦＦ作動するものである。
【００１３】
そして、前記取付基板２２にはスイッチ装置の本体ケース２５が前記スライドスイッチ２１を覆うようにネジ止めなど適宜の取付手段により取付固定され、例えば所定の高さ寸法Ｈとする組立構成にある。この本体ケース２５には、アクチュエータ２６を一体に備えた操作ノブ２７を軸部２８を中心に回動可能に設けている。この操作ノブ２７は、断面傘状をなして前記本体ケース２５の上部外方に位置し、一方アクチュエータ２６は、該操作ノブ２７の裏面側から本体ケース２５内に延出され、その自由端部である回動端部は直線的な先細形状となしている。
【００１４】
この先細形状は、アクチュエータ２６の全体が先細形状であることを妨げないが、後述するように少なくとも前記操作子２４との係合を可能とする範囲にわたり形成されている。具体的には、アクチュエータ２６の先細となる回動端部は、前記操作子２４たる一対の突起２４ａ，２４ｂ間に挿入可能な係合部２９とし、アクチュエータ２６の左右いずれの回動方向に対しても、突起２４ａと２４ｂとに夫々係合する係合面２９ａ，２９ｂを左右対称に形成している。この係合面２９ａ，２９ｂが、上記した先細とし直線的に形成される傾斜面に相当するものである。
【００１５】
ここで、前記操作ノブ２７の回動手段につき説明すると、これは軸部２８を中心に図示左右のいずれの方向にも回動可能である。この回動中心は、アクチュエータ２６と共通であるとともに、この軸部２８と同図（イ）に示す待機状態のスライドスイッチ２１の中央部に位置する操作子２４の中心とを結んだ線を基準線Ｙとすると、この状態ではアクチュエータ２６の先細の係合部２９の中心を通したアクチュエータ２６の中心線Ｗとも一致する関係にある。しかるに、操作ノブ２７は基準線Ｙに対しいずれの方向にも常に所定角度Ａ１，Ａ２の回動操作ができるように、その回動範囲を規制するストッパー（図示せず）を本体ケース２５側に設けており、且つこれらは共に等しい回動角度（∠Ａ１＝Ａ２）に設定されている。
【００１６】
加えて、操作ノブ２７には周知の節度機構３１が設けられ、操作ノブ２７を左右いずれの方向に回動操作しても、その操作力を除去すれば同図（イ）に示す常規の位置たる待機状態に復帰するようにしている。例えば、アクチュエータ２６と隣接する図示後方側に圧縮コイルばね３５にて下方向に付勢された突子３６が埋設され、該突子３６の下方である本体ケース２５には、中央部を最低部位としたほぼＶ字状の傾斜壁３０を形成していて、この傾斜壁３０に突子３６が弾性的に接触し滑動可能としている。従って、通常はほぼＶ字状の最低部位に突子３６が係合した位置に保持される。
【００１７】
このような、操作ノブ２７の回動手段に対して、当然アクチュエータ２６も同様に回動することは云うまでもない。しかるに、同図（イ）に示す待機状態にあっては、係合部２９たる係合面２９ａ，２９ｂは、上記中心線Ｗを挟んで左右対称とした傾斜面であり、該中心線Ｗに対する係合面角度としての各傾斜角度Ｂ１，Ｂ２は、共に等しく（∠Ｂ１＝Ｂ２）、のみならず前記した基準線Ｙに対する操作ノブ２７の回動角度Ａ１，Ａ２とも対応して同角度に設定されている。
【００１８】
従って、図１（イ）の待機状態では、スライドスイッチ２１の操作子２４はスライド方向の中央に待機した位置にあって、該操作子２４と係合したアクチュエータ２６および操作ノブ２７の中心を通る基準線Ｙおよび中心線Ｗは、上記スライド方向に対し直交した関係にある。
尚、図１および図２中、操作子２４のスライド方向の中心線をスライド線Ｘとして表し、また操作ノブ２７の所定角度Ａ１の回動操作に対し、アクチュエータ２６を介して操作子２４をスライド移動させたときの該操作子２４の中心位置に基づく所定の変位量を、基準線Ｙを基準に所定ストロークαとして示し、その詳細は特に図２とともに以下の作用説明にて述べる。
【００１９】
次に、上記構成のスイッチ装置の作用について説明する。
まず、所期の通り組立構成されたスイッチ装置において、図１の（イ）に示す非作動の待機状態から、同図（ロ）および図２に示すように操作ノブ２７を、基準線Ｙに対し図示時計方向の所定角度Ａ1方向に回動操作した場合につき述べる。この所定角度Ａ1の回動操作により、アクチュエータ２６の係合部２９も同方向に同角度回動し、この場合、一方の傾斜面２９ａが操作子２４の一方の突起２４ａを有効に押圧することで、該操作子２９を所定ストロークαスライド移動させる。特に図２には、図１（イ）に相当するアクチュエータ２６など待機状態を太実線で示す位置から、その中心線Ｗで示す変位からも明らかなように図１（ロ）に相当する所定角度Ａ1回動したときの作動状態を実線で示している。
【００２０】
この結果、スライドスイッチ２１は図示しない可動接点と固定接点とが閉成してモータがＯＮ作動し、例えばウインドを開放すべく下降させる。しかるに、操作ノブ２７から手を離し操作力を除けば、節度機構３１により操作ノブ２７およびアクチュエータ２６も常規の位置まで回動復帰するとともに、操作子２４も元位置までスライド移動され、図１（イ）に示す所謂非作動の待機状態に復帰する。
【００２１】
ところで、上記したように図１（ロ）および図２において操作ノブ２７の回動操作に伴ない、アクチュエータ２６の中心線Ｗも基準線Ｙに対し時計方向に同角度Ａ1回動するが、同時に中心線Ｗに対し反時計方向に所定の傾斜角度Ｂ1となす係合面２９ａも同角度Ａ1回動する。これら角度Ａ1，Ｂ1は、共に同角度（∠Ｂ1＝Ａ1）に設定されていることから、係合面２９ａの傾斜面は基準線Ｙおよび当初待機状態の中心線Ｗに対し平行となり、従ってスライド線Ｘで示すスライド方向に対して垂直となる。そして、この係合面２９ａが垂直となす位置まで押圧され、スライド移動された操作子２４は所定のストロークαを得て、上記した如くモータをＯＮ作動するものである。
【００２２】
これに対し、取付基板２２と本体ケース２５との間に若干の組立誤差を生じた場合、例えば所定の高さ寸法Ｈを上回る誤差を生じた場合につき説明する。この場合、本体ケース２５側に設けられた部品の全てが若干高位置に組み込まれ、操作ノブ２７，アクチュエータ２６およびこれらの回動中心である軸部２８も、図２に二点鎖線で示すように本来の所定位置（実線で示す）より若干上部に位置ずれする。従って、係合部２９と操作子２４との上下方向の係合位置が異なり、この例では係合面２９ａの本来の位置よりやや下部にて操作子２４と係合することになるが、それ以外は図１（イ）および図２に示す通り基準線Ｙ，中心線Ｗ、操作ノブ２７の回動角度Ａ1および係合面角度Ｂ1など変動することなく共通である。
【００２３】
しかして、操作ノブ２７が所定角度Ａ1回動操作されると、図２の二点鎖線で示すようにアクチュエータ２６の係合面２９ａも同角度回動し、もともと係合面角度たる傾斜角度Ｂ1は所定の操作角度Ａ1と等しく設定されているので、該係合面２９ａは上記実線で示したものと同様に基準線Ｙと平行となりスライド方向に対し垂直となす位置まで回動移動する。このため、この位置まで係合面２９ａに押圧されてスライド移動された操作子２４の移動変位は、前記した所定のストロークαと同じであり、スライドスイッチ２１を確実にＯＮ作動して所期のウインド開放等の機能を奏する。
【００２４】
尚、上記作用説明では、操作ノブ２７を一方向たる時計方向に所定角度Ａ1回動操作した場合につき述べたが、反時計方向に所定角度Ａ2回動操作しても、アクチュエータ２６など対称構造にあって、所定角度Ａ2に対する係合面２９ｂの傾斜角度Ｂ2も共通で、且つ本実施例では所定角度Ａ1とＡ2も同角度であるため、基準線Ｙを境にした反対側の機能にあっても結果的に所定のストロークαを確保でき、この場合ではウインドを閉鎖するなどの機能を奏する。
【００２５】
また、組立誤差が所定の高さ寸法Ｈより小さくなった場合も、回動中心たる軸部２８の位置が下がるが、操作ノブ２７が所定角度Ａ1回動されることにより、上記同様に係合面２９ａがスライド方向に対し垂直となす位置まで回動し、従って操作子２４は所定のストロークαのスライド移動が確実に行なわれ、スライドスイッチ２１を確実にＯＮ作動することができる。しかるに、操作子２４の突起２４ａ，２４ｂ間と係合部２９との係合間に若干の遊隙があっても、係合面２９ａはスライド方向に対し垂直となし実質的に上記と同様の有効なストロークが得られる。
【００２６】
以上説明したように、本実施例によれば次の効果を有する。
操作ノブ２７を所定角度Ａ1またはＡ2回動操作したとき、アクチュエータ２６の操作子２４と係合する係合面２９ａ，２９ｂの係合面角度である傾斜角度Ｂ1またはＢ2が、該操作子２４が移動するスライド方向に対し常に垂直となすように設定した。所謂、操作ノブ２７の回動操作に基づき所定のストロークα移動した後の操作子２４と係合する係合面２９ａ，２９ｂが、そのスライド方向に対し垂直となすように角度設定してあるので、組立誤差によりアクチュエータ２６の回動中心たる軸部２８が若干上下に位置ずれしたとしても、スライド方向と直交する係合面２９ａまたは２９ｂは、その上部或いは下部にて操作子２４と係合する位置が異なるのみで、いずれも操作子２４との有効なスライド方向における係合状態は維持され、スライド機能が損なわれることはない。
【００２７】
従って、若干の組立誤差に伴なう操作子２４と係合面２９ａ，２９ｂとの上下方向の位置ずれを考慮して、当該係合面２９ａ，２９ｂの有効範囲を設定することにより、組立誤差があっても所定のストロークαに変動を生ずることはなく、また組立誤差をなくすべく部品精度や組立精度をより高めたり構造的にも何ら複雑化することもなく、簡易な構成にて型成形も容易にできるなど、信頼性の向上やコスト的にも有利なスイッチ装置を提供できる。
【００２８】
（第２の実施の形態）
次に、図３および図４は、本発明の第２実施例を示したもので、上記実施例に対し同一部分には同一符号を付して説明を省略し、異なる点のみ説明する。尚、図３（イ），（ロ）は、図１相当図であり、図４は図２相当図である。
このものは、上記実施例に対し異なる形状の係合部３２を有するアクチュエータ３３、および１本の突起からなる操作子３４を備えたスイッチ装置である点で相違する以外は、共通とするものである。
【００２９】
即ち、一端に操作ノブ２７を有するアクチュエータ３３の自由端部である回動端部には、その中心線Ｗ上に逆Ｖ字状に切欠した係合部３２を形成し、その逆Ｖ字状の傾斜する左右の直線状の２辺を夫々係合面３２ａ，３２ｂとしている。そして、この各係合面３２ａ，３２ｂは、図３（イ）に示す待機状態にあっては中心線Ｗおよび基準線Ｙに対し、その係合面角度たる傾斜角度Ｂ1，Ｂ2は互いに等しく、且つこれらは操作ノブ２７の所定の回動角度Ａ1，Ａ2に夫々対応して同角度とするなど、上記実施例と共通の構成としている。
【００３０】
斯くして、図３（ロ）に示すように操作ノブ２７を時計方向に所定角度Ａ1につき回動操作すると、通常は図４の実線で示す如くアクチュエータ３３および操作子３４は展開する。即ち、アクチュエータ３３は軸部２８を中心に同方向に回動し、係合部３２の一方の係合面３２ａと係合する操作子３４は左方向に押圧され、所定ストロークαスライド移動する。このとき、上記係合面３２ａは、同図太実線で示す待機状態では操作ノブ２７の所定角度Ａ1と同じ角度後方たる反時計方向に傾斜しており（傾斜角度Ｂ1）、この状態から該角度分の時計方向への回動後にあっては基準線Ｙと平行をなし、操作子３４のスライド方向に対しては垂直となる。
【００３１】
このように、所定のストロークαを得たとき、係合面３２ａが垂直となす構成としたので、取付基板２２と本体ケース２５との高さ寸法Ｈに組立誤差が生じても、所定ストロークαに変動を生ずることはない。即ち、上記したように操作ノブ２７が所定角度Ａ1または角度Ａ2回動操作されたときに、係合面３２ａまたは３２ｂは操作子３４をスライド方向に移動させるとともに、スライド方向に対し垂直となした状態で操作子３４と係合する。従って、アクチュエータ３３が上下方向に位置ずれした場合でも、垂直な係合面３２ａ，または３２ｂに対し操作子３４との係合位置が上下に変動するのみで、該操作子３４のスライド移動は何ら支障なく行なわれ、スライドストロークに変動が生ずることはない。
【００３２】
例えば、図４には二点鎖線にて所定の高さ寸法Ｈ（図３参照）を上回る組立誤差を生じた場合の一例を示しており、所謂回動支点たる軸部２８が上部に位置ずれした形態にあっても、操作子３４が係合面３２ａのやや下部位と係合することで所定のストロークαを確実に得られることを示しており、逆に高さ寸法Ｈが小さくなるような組立誤差の場合でも、係合面３２ａのやや上部位に操作子３４が係合することで、実質的に上記と同様の作用にて所定のストロークαを確保できる。このことから、上記組立誤差を考慮して逆Ｖ字状の係合部３２の大きさ、即ち直線的な係合面３２ａ，３２ｂの長さを設定すればよい。
【００３３】
尚、本発明は、上記し且つ図面に示した各実施例に限定されることなく、例えば用途として自動車のパワーウインドスイッチに限らないことはもとより、操作ノブは一方のみ回動操作する形態でも可能で、例えば上記実施例で延べた所定角度Ａ1に対し、係合面の傾斜角度Ｂ1を確保した構成とすれば良く、その他アクチュエータの係合部は操作子との組合せに伴ない種々変形可能であり、要は所定角度の回動操作がなされたときに、スライド方向に対し垂直となる係合面を有する構成であれば良いなど、実施に際して本発明の要旨を逸脱しない範囲内で種々変更して実施可能である。
【図面の簡単な説明】
【００３４】
【図１】本発明をパワーウインドスイッチに適用した第１実施例を示し、夫々異なる状態（イ），（ロ）を示す縦断面図
【図２】作用を説明するための要部の拡大図
【図３】本発明の第２実施例を示す図１相当図
【図４】図２相当図
【図５】従来例を示す図１相当図
【図６】図２相当図
【図７】異なる従来例の図２相当図
【符号の説明】
【００３５】
図面中、２１はスライドスイッチ、２２は取付基板、２４，３４は操作子、２５は本体ケース、２６，３３はアクチュエータ、２７は操作ノブ、２９，３２は係合部、および２９ａ，２９ｂ，３２ａ，３２ｂは係合面を示す。
【図１】
2005228498.tif 000003
【図２】
2005228498.tif 000004
【図３】
2005228498.tif 000005
【図４】
2005228498.tif 000006
【図５】
2005228498.tif 000007
【図６】
2005228498.tif 000008
【図７】
2005228498.tif 000009